(57)【要約】【課題】  記録媒体に記録された情報を再生する時間を制限する。【解決手段】  ディスク再生装置は、ＤＶＤに記録された情報の再生を許可する時間情報を含む制限情報を受け付け、受け付けられた制限情報を、ＤＶＤを識別するためのディスク識別情報に関連付けて記憶する。ＤＶＤからディスク識別情報を取得し（Ｓ０１）、現在の時刻を含む時刻情報を取得し（Ｓ０３）、取得した時刻情報と取得したディスク識別情報に関連する制限情報とに基づいて、ＤＶＤに記録された情報の再生をするか否かを決定する（Ｓ０５）。【選択図】        図４
2007242195.tif 000002
【特許請求の範囲】
【請求項１】
記録媒体に記録された情報の再生を許可する時間情報を含む制限情報を受け付ける制限情報受付手段と、
前記受け付けられた制限情報を、前記記録媒体を識別するための識別情報に関連付けて記憶する制限情報記憶手段と、
記録媒体から該記録媒体を識別するための識別情報を取得する識別情報取得手段と、
現在の時刻を含む時刻情報を取得する時刻情報取得手段と、
前記取得された時刻情報と前記取得された識別情報に関連する制限情報とに基づいて、前記記録媒体に記録された情報の再生を制御する制御手段とを備えた、情報再生装置。
【請求項２】
前記制限情報記憶手段に記憶された制限情報へのアクセスを制限するための認証手段をさらに備えた、請求項１に記載の情報再生装置。
【請求項３】
前記時刻情報取得手段は、前記時刻情報を外部の装置から取得する、請求項１に記載の情報再生装置。
【請求項４】
それぞれがネットワークに接続され、該ネットワークを介して互いに通信可能なサーバ装置と情報再生装置とを含む情報再生システムであって、
記録媒体に記録された情報の再生を許可する時間情報を含む制限情報を受け付ける制限情報受付手段と、
前記受け付けられた制限情報を、前記記録媒体を識別するための識別情報に関連付けて記憶する制限情報記憶手段と、
記録媒体から該記録媒体を識別するための識別情報を取得する識別情報取得手段と、
現在の時刻を含む時刻情報を取得する時刻情報取得手段と、
前記取得された時刻情報と前記取得された識別情報に関連する制限情報とに基づいて、前記記録媒体に記録された情報の再生を制御する制御手段とを備えた、情報再生システム。
【請求項５】
記録媒体に記録された情報の再生を許可する時間情報を含む制限情報を受け付けるステップと、
前記受け付けられた制限情報を、前記記録媒体を識別するための識別情報に関連付けて記憶するステップと、
記録媒体から該記録媒体を識別するための識別情報を取得するステップと、
現在の時刻を含む時刻情報を取得するステップと、
前記取得された時刻情報と前記読み出された識別情報に関連する制限情報とに基づいて、前記記録媒体に記録された情報の再生を制御するステップとを含む、情報再生方法。
【発明の詳細な説明】
【技術分野】
【０００１】
この発明は情報再生装置、情報再生システムおよび情報再生方法に関し、特に記録媒体に記録された情報を再生する情報再生装置、情報再生システム、およびそれらにより実行される情報再生方法に関する。
【背景技術】
【０００２】
現在、ＤＶＤ（Ｄｉｇｉｔａｌ  Ｖｅｒｓａｔｉｌｅ  Ｄｉｓｃ）で代表される記録媒体には、それに記録された情報の再生を制御するためにパレンタル管理情報を記録したものがある。再生装置は、ディスクに記憶されたパレンタル管理情報を読み取り、予め設定された設定内容に従って、ディスクに記憶された情報の再生を禁止する（例えば、特公平２−７２３６号公報）。
【０００３】
このパレンタル管理情報は、すべてのディスクに記録されているとは限らず、パレンタル情報が記録されていないディスクも存在する。このため、例えば、子供に見せたくない情報を含むディスクに、パレンタル管理情報が記録されていなければ、そのディスクに記録されている情報の再生を禁止することができないといった問題がある。また、パレンタル情報を用いて、ディスクに記録されている情報の再生を禁止することができるが、ディスクの再生を、例えば所定の時間帯、例えば昼間の再生を禁止することはできないといった問題があった。
【特許文献１】特公平２−７２３６号公報
【発明の開示】
【発明が解決しようとする課題】
【０００４】
この発明は上述した問題点を解決するためになされたもので、この発明の目的の一つは、記録媒体に記録された情報を再生する時間を制限することが可能な情報再生装置を提供することである。
【０００５】
この発明の他の目的は、記録媒体を再生する時間を制限することが可能な情報再生システムを提供することである。
【０００６】
この発明のさらに他の目的は、記録媒体を再生する時間を制限することが可能な情報再生方法を提供することである。
【課題を解決するための手段】
【０００７】
上述した目的を達成するためにこの発明のある局面によれば、情報再生装置は、記録媒体に記録された情報の再生を許可する時間情報を含む制限情報を受け付ける制限情報受付手段と、受け付けられた制限情報を、記録媒体を識別するための識別情報に関連付けて記憶する制限情報記憶手段と、記録媒体から該記録媒体を識別するための識別情報を取得する識別情報取得手段と、現在の時刻を含む時刻情報を取得する時刻情報取得手段と、取得された時刻情報と取得された識別情報に関連する制限情報とに基づいて、記録媒体に記録された情報の再生を制御する制御手段と、を備える。
【０００８】
この局面に従えば、記録媒体に付された該記録媒体を識別するための識別情報に関連して、該記録媒体に記録された情報の再生を許可する時間情報を含む制限情報が受け付けられ、記憶される。記録媒体から該記録媒体を識別するための識別情報が取得され、現在の時刻を含む時刻情報が取得され、取得された時刻情報と取得された識別情報に関連する制限情報とに基づいて、記録媒体に記録された情報の再生が制御される。このため、記録媒体が再生される時刻によって記録媒体の再生が制限される。その結果、記録媒体を再生する時間を制限することが可能な情報再生装置を提供することができる。
【０００９】
好ましくは、制限情報記憶手段に記憶された制限情報へのアクセスを制限するための認証手段をさらに備える。
【００１０】
この局面によれば、記憶された制限情報へのアクセスが制限される。このため、アクセス権原を有しない者により制限情報が変更されないので、再生を確実に制限することができる。
【００１１】
好ましくは、時刻情報取得手段は、時刻情報を外部の装置から取得する。
【００１２】
この局面によれば、時刻情報が外部の装置から取得されるので、時刻情報が不正に変更されるのを防止して、再生を確実に制限することができる。
【００１３】
この発明の他の局面によれば、情報再生システムは、それぞれがネットワークに接続され、該ネットワークを介して互いに通信可能なサーバ装置と情報再生装置とを含む情報再生システムであって、記録媒体に記録された情報の再生を許可する時間情報を含む制限情報を受け付ける制限情報受付手段と、受け付けられた制限情報を、記録媒体を識別するための識別情報に関連付けて記憶する制限情報記憶手段と、記録媒体から該記録媒体を識別するための識別情報を取得する識別情報取得手段と、現在の時刻を含む時刻情報を取得する時刻情報取得手段と、取得された時刻情報と取得された識別情報に関連する制限情報とに基づいて、記録媒体に記録された情報の再生を制御する制御手段とを備える。
【００１４】
この局面に従えば、記録媒体を再生する時間を制限することが可能な情報再生システムを提供することができる。
【００１５】
この発明のさらに他の局面によれば、情報再生方法は、記録媒体に記録された情報の再生を許可する時間情報を含む制限情報を受け付けるステップと、受け付けられた制限情報を、記録媒体を識別するための識別情報に関連付けて記憶するステップと、記録媒体から該記録媒体を識別するための識別情報を取得するステップと、現在の時刻を含む時刻情報を取得するステップと、取得された時刻情報と読み出された識別情報に関連する制限情報とに基づいて、記録媒体に記録された情報の再生を制御するステップとを含む。
【００１６】
この局面に従えば、記録媒体を再生する時間を制限することが可能な情報再生方法を提供することができる。
【発明を実施するための最良の形態】
【００１７】
以下、図面を参照しつつ、本発明の実施の形態について説明する。以下の説明では、同一の部品には同一の符号を付してある。それらの名称および機能も同じである。したがってそれらについての詳細な説明は繰返さない。
【００１８】
＜第１の実施の形態＞
図１は、第１の実施の形態におけるディスク再生装置の全体構成を示す図である。図１を参照して、ディスク再生装置１００は、画像および音声を圧縮符号化した画像データおよび音声データを記録したＤＶＤ２０が装着され、そのＤＶＤ２０から画像データおよび音声データを読み出して画像および音声を再生する。
【００１９】
ディスク再生装置１００は、ディスク再生装置１００の全体を制御するシステムコントローラ１０と、それぞれがシステムコントローラ１０に接続されたＬＡＮ（Ｌｏｃａｌ  Ａｒｅａ  Ｎｅｔｗｏｒｋ）インターフェース１５、操作部１２、表示部１３、読み出し用バッファ２６、再生バッファメモリ２７およびデマルチプレクサ（ＤＥＭＵＸ）３１を含む。
【００２０】
ＤＶＤ２０は、スピンドルモータ２２によって回転される。サーボ回路２３は、スピンドルモータ２２の回転数、ピックアップ２１のフォーカスサーボおよびトラッキングサーボを制御する。ＤＶＤ２０に記録されたタイトルを再生する場合、ＤＶＤ２０に記録されたデータは、ピックアップ２１により読み取られる。ピックアップ２１は、ＤＶＤ２０で反射した光を受光し、受光した光を光電変換素子により電気信号に変換して、復調部２４に出力する。復調部２４に入力される電気信号は、ＤＶＤ２０への記録に適した信号に変調された信号であるため、復調部２４はこれを復調して元の形に戻す。誤り訂正部２５は、リードソロモン積符号（ＲＳ−ＰＣ）の訂正方式でエラー訂正し、エラー訂正したデータを読み出し用バッファ２６に記憶する。
【００２１】
システムコントローラ１０は、ナビゲーション情報解析部１１を含む。ナビゲーション情報解析部１１は、読み出し用バッファ２６からデータを読み出し、ナビゲーション情報を解析する。システムコントローラ１０は、読み出し用バッファ２６からビデオパケット、オーディオパケット、サブピクチャパケットおよびシステム付加情報がマルチプレックスされたデータを読み出して、ＤＥＭＵＸ３１に出力する。ＤＥＭＵＸ３１は、読み出し用バッファ２６から入力されるビデオパケットからヘッダを取り除いたビデオデータをビデオバッファ３２に転送し、サブピクチャパケットからヘッダを取り除いたサブピクチャユニットをサブピクチャバッファ３３に転送し、オーディオパケットからヘッダを取り除いたオーディオデータをオーディオバッファ３４に転送する。
【００２２】
システムコントローラ１０は、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）２８と接続される。システムコントローラ１０は、ＤＶＤ２０に記録された情報の再生を制限する再生制限処理を実行する際に、ＥＥＰＲＯＭ２８に記憶された情報を用いる。再生制限処理については後述する。
【００２３】
オーディオデコーダ３７は、バッファ３７Ａと接続されており、オーディオバッファ３４から読み出したオーディオデータをデコードして、デコードしたデジタルのオーディオデータを出力する。
【００２４】
ビデオデコーダ３５は、バッファ３５Ａと接続されており、ビデオバッファ３２からビデオデータを読出し、ＭＰＥＧ、Ｈ．２６４、またはＶＣ−１Ｅ方式で復号し、復号して得られるビデオデータ（動画像）をミキサ３８に出力する。サブピクチャデコーダ３６は、バッファ３６Ａと接続されており、サブピクチャバッファ３３からサブピクチャユニットを読出し、サブピクチャユニット内のピクセルデータをデコードし、サブピクチャデータを生成する。サブピクチャユニットは、表示されるピクセルデータの表示位置、期間等を制御するテーブルを含む。サブピクチャデコーダ３６は、生成したサブピクチャデータを文字表示期間の間ミキサ３８に出力する。
【００２５】
ミキサ３８は、ビデオデコーダ３５から入力されるビデオデータと、サブピクチャデコーダ３６から入力されるサブピクチャデータとをミキシングして、ミキシングしたデータをビデオエンコーダ３９に出力する。ビデオエンコーダ３９は、ミキシングされたデータを表示用の画像に変換して出力する。
【００２６】
ＬＡＮインターフェース１５は、ディスク再生装置１００をインターネット１６に接続するための通信用のインターフェースである。ここでは、ＬＡＮインターフェース１５は、インターネット１６に接続されており、システムコントローラ１０は、そのインターネットに接続されたサーバ１７と通信可能となっている。サーバ１７は、一般的なコンピュータである。サーバ１７に、ＭＰＥＧ規格で圧縮符号化されたデータを蓄積することが可能であり、サーバ１７は、ディスク再生装置１００からの要求により、蓄積したデータを送信する。このため、ディスク再生装置１００は、サーバ１７からデータを受信して、上述したＤＶＤ２０から読み出したデータと同様にして、映像および音声を再生する。なお、サーバ１７が蓄積するデータは、ＭＰＥＧ規格で圧縮符号化されたデータに限られず、Ｈ．２６４またはＶＣ−１で圧縮符号化されたビデオデータ、Ｄｏｌｂｙ  Ｄｉｇｉｔａｌ  ＰｌｕｓまたはＤＴ−ＨＤ等で圧縮符号化されたオーディオデータを含む。
【００２７】
操作部１２は、ディスク再生装置１００の前面に備えられた複数のボタンスイッチを有する。操作部１２では、ディスク再生装置１００を操作するユーザの指示の入力が受付けられる。また、操作部１２は、リモートコントローラ（リモコン）１４と赤外線による無線通信が可能となっている。リモコン１４は、操作部１２と同様の指示を入力するためのボタンスイッチを有する。このため、ユーザは、操作部１２に入力するのと同様の指示を、リモコン１４を用いて入力することができる。
【００２８】
表示部１３は、蛍光表示管であり、ディスク再生装置１００の動作状態の表示、操作部１２に入力されたユーザの指示の表示等を行う。なお、蛍光表示管に代えて、または、それとともに液晶表示装置、有機エレクトロルミネッセンスディスプレイ（ＥＬＤ）またはＬＥＤ（Ｌｉｇｈｔ  Ｅｍｉｔｔｉｎｇ  Ｄｉｏｄｅ）パネル等を用いてもよい。
【００２９】
図２は、ディスク再生装置の再生制限機能の概要を示す機能ブロック図である。図２を参照して、システムコントローラ１０は、操作者を認証するためのユーザ認証部４１と、制限情報を受け付けてＥＥＰＲＯＭ２８に記憶するための制限情報受付部４２と、ＤＶＤ２０から読み取った識別情報を受け付ける識別情報受付部４３と、外部から時刻情報を取得する時刻情報取得部４４と、時刻情報と識別情報に対応する制限情報とに基づいて再生を制御する制限部４５とを含む。
【００３０】
ＥＥＰＲＯＭ２８は、ユーザ情報を記憶するユーザ情報記憶部６１と、制限情報を記憶する制限情報記憶部６２とを含む。ユーザ情報は、ディスク再生装置１００を操作するユーザを識別するためのユーザ識別情報と、そのユーザを認証するための認証情報とを含む。認証情報は、ここではパスワードを用いているが、指紋、虹彩、静脈パターン等の生体情報を用いるようにしてもよい。制限情報は、ＤＶＤ２０に記憶された情報の再生を制限する条件を定義する。制限情報は、それに記憶される情報の再生を制限するＤＶＤ２０を識別するためのディスク識別情報と、再生を許可する時間帯情報とを含む。ディスク識別情報は、ＤＶＤ２０に付された固有の情報であってもよいし、ＤＶＤ２０に記憶されているファイルのサイズであってもよい。ファイルのサイズは、例えば、ナビゲーション情報解析部１１によって制御されるファイルシステムが、ＤＶＤ２０内のＨＤＤＶＤ＿ＴＳディレクトリ下のＥＶＯファイルを検索し、検索したすべてのＥＶＯファイルのファイルサイズの合計値を用いることができる。時間帯情報は、曜日または月日の情報を含んでもよい。また、制限情報は、１日に再生を許可するトータル時間を含む。
【００３１】
ユーザ認証部４１は、操作部１２と接続され、ディスク再生装置１００を操作するユーザが操作部１２にユーザ識別情報と認証情報とを入力すると、操作部１２からユーザのユーザ識別情報と認証情報とを受け付ける。ユーザ認証部４１は、操作部１２から受け付けたユーザ識別情報および認証情報を、ユーザ情報記憶部６１に記憶されているユーザ情報と比較する。操作部１２から受け付けたユーザ識別情報および認証情報に一致するユーザ情報がユーザ情報記憶部６１に記憶されていれば、認証が成功したことを示す信号を制限情報受付部４２に出力するが、記憶されていなければ認証失敗として操作部１２にエラーメッセージを表示する。なお、ここでは、ユーザ認証にユーザ識別情報と認証情報とを用いるようにしたが、認証情報のみを用いるようにしてもよい。この場合の認証情報にはパスワードが用いられる。パスワードを知る複数のユーザが、認証されることが可能となる。この場合、ユーザ情報記憶部６１は、パスワードのみを記憶するようにすればよい。
【００３２】
制限情報受付部４２は、操作部１２と接続され、認証されたユーザが操作部１２に制限情報を入力すると、操作部１２から制限情報を受け付ける。制限情報受付部４２は、ユーザ認証部４１から認証が成功したことを示す信号が入力されることを条件に、操作部１２から受け付けた制限情報を制限情報記憶部６２に記憶する。
【００３３】
ここで、制限情報について説明する。図３は、制限情報の一例を示す図である。図３制限情報は、ディスク情報１０１と、再生管理情報１１０とを含む。ディスク情報１０１は、再生制限の対象となるＤＶＤ２０を識別するためのディスク識別情報を含む。ディスク情報１０１は、複数のディスク識別情報を含むことが可能である。
【００３４】
再生管理情報１１０は、再生を許可しない全面禁止情報１１１と、再生を許可する時間帯を定義する時間帯情報１１２，１１３，１１４と、例外情報１１５と、１日に再生が可能なトータルの再生時間を定義するトータル時間情報１１６とを含む。全面禁止情報１１１は、外部機器が確認できないことを定義する。ここでは、外部機器は、サーバ１７であり、全面禁止情報１１１は、サーバ１７のインターネット１６上の位置情報であるＵＲＬ（Ｕｎｉｆｏｒｍ  Ｒｅｓｏｕｒｃｅ  Ｌｏｃａｔｏｒ）を含む。なお、全面禁止情報１１１は、サーバ１７のネットワーク上の位置情報であるＩＰアドレスを含んでもよい。
【００３５】
時間帯情報１１２〜１１４は、再生を許可する曜日と、再生を許可する時間帯と、再生を許可するトータルの再生時間とを定義する。たとえば、時間帯情報１１２は、再生を許可する曜日として「土曜日」を、再生を許可する時間帯として１０：００〜２０：００を、再生を許可するトータルの再生時間として制限時間２時間を含む。例外情報１１５は、全面禁止情報１１１、時間帯情報１１２〜１１５および次に説明するトータル時間情報１１６でそれぞれ定義された再生制限の例外を定義する。例外情報１１５は、再生制限されない時間帯を定義する。ここでは、２１：００以降は再生制限の対象外としている。
【００３６】
トータル時間情報は、時間帯情報１１２〜１１４により定義されていない曜日における再生を許可する１日のトータルの再生時間を定義する。
【００３７】
なお、ここでは制限情報は、ディスク情報１０１が定義する複数のディスク識別情報に１つの再生管理情報１１０を関連付けるようにしたが、ディスク情報１０１が定義する複数のディスク識別情報それぞれに再生管理情報１１０を関連付けるようにしてもよい。複数のディスク識別情報に、複数の再生管理情報をそれぞれ関連付けることにより、ＤＶＤ２０ごとに再生を制限する条件を異ならせることができる。
【００３８】
図２に戻って、識別情報受付部４３は、ＤＶＤ２０から読み取られたディスク識別情報を受け付ける。システムコントローラ１０は、読み出し用バッファ２６からディスク識別情報を読み出すことにより、ディスク識別情報を受け付ける。そして、識別情報受付部４３は、受け付けたディスク識別情報を制限部４５に出力する。時刻情報取得部４４は、制限情報の全面禁止情報１１１により定義されているＵＲＬにアクセスし、サーバ１７から時刻情報を取得する。時刻情報は、現在の曜日と時刻とを含む。サーバ１７は、ディスク再生装置１００からアクセスがあると、現在の曜日と時刻とを含む時刻情報を返信する。時刻情報取得部４４は、サーバ１７から返信される時刻情報を受信して、受信した時刻情報を制限部４５に出力する。時刻情報取得部４４は、制限情報の全面禁止情報１１１により定義されているＵＲＬにアクセスできない場合、サーバ１７を確認できないことを示す信号を制限部４５に出力する。
【００３９】
制限部４５は、識別情報受付部４３から入力されるディスク識別情報が、制限情報記憶部６２に記憶されているか否かを判断する。制限情報記憶部６２が記憶する制限情報のディスク情報１０１に、識別情報受付部４３から入力されるディスク識別情報が記憶されていれば、制限情報の再生管理情報１１０に従って、装着されたＤＶＤ２０の再生を制限する。一方、識別情報受付部４３から入力されるディスク識別情報が記憶されていなければ、ＤＶＤ２０を制限することなく再生する。制限部４５は、識別情報受付部４３から入力されるディスク識別情報が、制限情報記憶部６２に記憶されており、かつ、時刻情報取得部４４からサーバ１７を確認できないことを示す信号が入力されたならば、全面禁止情報１１１に従って、ＤＶＤ２０を再生しない。
【００４０】
また、制限部４５は、識別情報受付部４３から入力されるディスク識別情報が制限情報記憶部６２に記憶されていれば、時刻情報取得部４４から入力される時刻情報に含まれる現在時刻が、再生管理情報１１０によって再生が許可されているか否かを判断する。具体的には、時間帯情報１１２〜１１４のうちから現在時刻の曜日の再生を制限する時間帯情報を抽出し、さらに、現在時刻が抽出した時間帯情報が定義する再生を許可する時間帯に含まれているか否かを判断する。現在時刻の曜日の再生を制限する時間帯情報が抽出され、かつ、現在時刻が再生を制限する時間帯に含まれるならば、ＤＶＤ２０の再生を許可する。また、制限部４５は、現在時刻の曜日の再生を制限する時間帯情報が抽出されない場合であっても、その日のこれまでの再生時間の合計がトータル時間情報１１６の定義するトータルの再生時間以内であれば、ＤＶＤ２０の再生を許可する。
【００４１】
さらに、制限部４５は、現在時刻の曜日の再生を制限する時間帯情報が抽出されない場合には、現在時刻が例外情報１１５の定義する再生制限されない時間帯に含まれるか否かを判断する。制限部４５は、現在時刻が例外情報１１５の定義する再生制限されない時間帯に含まれるならばＤＶＤ２０の再生を許可するが、そうでなければ再生を許可しない。
【００４２】
図４は、再生制限処理の流れの一例を示す第１の図である。この再生制限処理は、システムコントローラ１０が再生制限プログラムを実行することにより、システムコントローラ１０により実行される。図４を参照して、システムコントローラ１０は、ディスク再生装置１００に装着されたＤＶＤ２０のディスク識別情報を受け付けたか否かを判断する（ステップＳ０１）。ディスク再生装置１００は、ＤＶＤ２０が装着されると、ＤＶＤ２０に記憶されているディスク識別情報を読み出す。読み出したディスク識別情報は、読み出し用バッファ２６に記憶されるので、システムコントローラ１０は、読み出し用バッファ２６からディスク識別情報を読み出すことにより、ディスク再生装置１００に装着されたＤＶＤ２０のディスク識別情報を受け付ける。
【００４３】
ステップＳ０２において、ＥＥＰＲＯＭ２８の制限情報記憶部６２から制限情報を読み出す。そして、制限情報の全面禁止情報１１１が定義するＵＲＬにアクセスして、サーバ１７より時刻情報を取得する（ステップＳ０３）。なお、ここでは、時刻情報をサーバ１７より取得するようにしたが、ディスク再生装置１００に電波時計など外部から曜日および時刻を含む時刻情報を取得する装置を備え、その装置で時刻情報を取得するようにしてもよい。
【００４４】
次のステップＳ０４では、装着されたＤＶＤ２０の再生が可能か否かを判断する。再生可能と判断したならば処理をステップＳ０５に進め、再生不可能と判断したならば処理をステップＳ１１に進める。
【００４５】
再生可能と判断するのは次の場合である。
（Ａ１）  装着されたＤＶＤ２０のディスク識別情報が、制限情報記憶部６２に記憶されていない場合。この場合は、ディスク識別情報で特定されるＤＶＤ２０が再生制限の対象に、ユーザにより指定されていないからである。
（Ａ２）  ステップＳ０３で取得した時刻情報に含まれる現在時刻が、再生管理情報１１０の時間帯情報１１２〜１１４が定義する再生可能な時間帯に含まれる場合。ユーザにより再生可能に設定された曜日および時間帯に再生を可能とするためである。ただし、再生管理情報１１０の時間帯情報１１２〜１１４が定義する再生可能な時間を越えないことが条件とされる。
（Ａ３）  その日のこれまでの再生時間の合計がトータル時間情報１１６の定義するトータルの再生時間以内の場合。
（Ａ４）  ステップＳ０３で取得した時刻情報に含まれる現在時刻が再生管理情報１１０の例外情報１１５の定義する再生制限されない時間帯に含まれる場合。
【００４６】
再生不可能と判断するのは次の場合である。
（Ｂ１）  装着されたＤＶＤ２０のディスク識別情報が、制限情報記憶部６２に記憶されており、かつ、ステップＳ０３においてサーバ１７を確認することができずに時刻情報を取得できなかった場合。時刻情報を取得できなければ、再生管理情報に従って再生を制限する判断ができないからである。
（Ｂ２）  上記（Ａ１）〜（Ａ４）のいずれにも該当しない場合。
【００４７】
ステップＳ０５において、再生を開始する。システムコントローラ１０は、読み出し用バッファ２６からビデオパケット、オーディオパケット、サブピクチャパケットおよびシステム付加情報がマルチプレックスされたデータを読み出して、ＤＥＭＵＸ３１に出力する。そして、１日の再生時間の累計が制限時間内か否かを判断する。制限時間は、ステップＳ０２で読み出した制限情報の時間帯情報１１２〜１１４およびトータル時間情報１１６それぞれで定める制限時間である。システムコントローラ１０は、１日の再生時間の累計をＥＥＰＲＯＭ２８に記憶しており、再生を継続する間、その再生時間の累計を書き換える。１日の再生時間の累計が制限時間内であれば処理をステップＳ０７に進め、制限時間をこえたならば処理をステップＳ０９に進める。
【００４８】
ステップＳ０７において、再生が終了したか否かを判断し、再生が終了したならば処理をステップＳ０８に進め、終了していなければ処理をステップＳ０６に戻して再生を継続する。
【００４９】
ステップＳ０９では、表示部１３にエラーメッセージを表示し、次のステップＳ１０で再生を終了して処理をステップＳ０８に進める。エラーメッセージは、例えば、「本日の再生時間が制限時間を越えましたので再生を終了します。」等である。なお、エラーメッセージを音声で出力するようにしてもよい。
【００５０】
ステップＳ０８では、再生時間の累計を再生が終了した時点における値に更新して、処理を終了する。次に、ＤＶＤ２０が装着されたときに、再生を制限するか否かを判断するためである。
【００５１】
図５は、制限情報登録処理の流れの一例を示すフローチャートである。この制限情報登録処理は、システムコントローラ１０が再生制限プログラムを実行することにより、システムコントローラにより実行される処理である。図５を参照して、システムコントローラ１０は、ユーザ認証が成功したか否かを判断する（ステップＳ２１）。操作部１２から受け付けたユーザ識別情報および認証情報に一致するユーザ情報がユーザ情報記憶部６１に記憶されていれば、認証が成功したと判断して処理をステップＳ２２に進めるが、記憶されていなければ認証が失敗したとして処理をステップＳ２６に進める。なお、ユーザ認証にユーザ識別情報と認証情報とを用いるようにしたが、認証情報のみを用いるようにしてもよい。
【００５２】
ステップＳ２２では、制限情報が新規に登録されたか否かを判断する。新規登録ならば処理をステップＳ２３に進め、そうでなければステップＳ２３をスキップして処理をステップＳ２４に進める。ステップＳ２３では、新規に登録された制限情報を制限情報記憶部６２に追加して記憶する。
【００５３】
ステップＳ２４では、制限情報記憶部６２に既に記憶されている制限情報を変更する指示があったか否かを判断する。変更指示があったならば処理をステップＳ２５に進め、変更指示がなければステップＳ２５をスキップして処理を終了する。ステップＳ２５では、変更指示に従って制限情報を変更する。
【００５４】
一方、ステップＳ２１において、ユーザ認証が失敗したならば、エラーメッセージを表示して（ステップＳ２６）、処理を終了する。エラーメッセージは、例えば「制限情報にアクセスする権限がありません。」等とすればよい。ユーザ認証が失敗した場合に、制限情報へのアクセスを禁止することにより、制限情報が権限のないユーザにより変更されるのを防止するためである。
【００５５】
以上説明したように第１の実施の形態におけるディスク再生装置１００は、ＤＶＤ２０のディスク識別情報に関連して制限情報を受け付けてＥＥＰＲＯＭ２８に予め記憶する。そして、ＤＶＤ２０が装着されるとＤＶＤ２０からディスク識別情報を読み出し、現在の時刻を含む時刻情報をサーバ１７から取得して、時刻情報と読み出したディスク識別情報に関連する制限情報とに基づいて、ＤＶＤ２０を再生するか否かを決定する。このため、ＤＶＤ２０を再生する時刻によってＤＶＤ２０を再生するか否かが決定されるので、ＤＶＤ２０を再生する時間を制限することができる。
【００５６】
また、ＥＥＰＲＯＭ２８に記憶された制限情報へのアクセスは、アクセス権限を有するユーザにのみ許可されるので、アクセス権原を有しないユーザにより制限情報が変更されることがなく、再生を確実に制限することができる。
【００５７】
また、時刻情報をサーバ１７から取得するので、時刻情報が不正に変更されるのを防止して、再生を確実に制限することができる。
【００５８】
なお、上述した第１の実施の形態においては、ディスク再生装置１００について説明したが、ディスク再生装置１００で実行される再生制限方法または再生制限プログラムとして発明を捉えることができるのは言うまでもない。
【００５９】
＜第２の実施の形態＞
第１の実施の形態におけるディスク再生装置１００は、制限情報をＥＥＰＲＯＭ２８に記憶するようにしたが、第２の実施の形態においては、制限情報をサーバ１７に記憶するようにしたものである。ディスク再生装置１００およびサーバ１７のハード構成は、第１の実施の形態におけるハード構成と同じなのでここでは説明を繰り返さない。
【００６０】
図６は、第２の実施の形態におけるサーバの再生制限機能の概要を示す機能ブロック図である。図６を参照して、サーバ１７は、サーバ１７の全体を制御する中央演算装置（ＣＰＵ）２１０と、サーバ１７をインターネット１６に接続するためのＬＡＮインターフェース２１１と、不揮発的にデータを記憶する記憶装置であるハードディスクドライブ（ＨＤＤ）２１２と、日付および時刻を計時するタイマ２１３とを含む。
【００６１】
ＣＰＵ２１０は、操作者を認証するためのユーザ認証部４１Ａと、制限情報を受け付けてＨＤＤ２１２に記憶するための制限情報受付部４２Ａと、ディスク再生装置１００からそれに装着されたＤＶＤ２０のディスク識別情報を受け付ける識別情報受付部４３Ａと、タイマ２１３から取得する時刻情報とディスク識別情報に対応する制限情報とに基づいて再生を制御するか否かを判定する判定部５１と、判定結果をディスク再生装置１００に送信する判定結果送信部５２とを含む。ＨＤＤ２１２は、ユーザ情報を記憶するユーザ情報記憶部６１Ａと、制限情報を記憶する制限情報記憶部６２Ａとを含む。
【００６２】
ユーザ認証部４１Ａは、ＬＡＮインターフェース２１１と接続され、インターネット１６に接続されたコンピュータまたはディスク再生装置１００を操作するユーザを認証する。ユーザ認証部４１Ａは、ＬＡＮインターフェース２１１から受け付けたユーザ識別情報および認証情報を、ユーザ情報記憶部６１Ａに記憶されているユーザ情報と比較し、受け付けたユーザ識別情報および認証情報に一致するユーザ情報がユーザ情報記憶部６１Ａに記憶されていれば、認証が成功したことを示す信号を制限情報受付部４２Ａに出力する。
【００６３】
制限情報受付部４２Ａは、ＬＡＮインターフェース２１１と接続され、インターネット１６に接続されたコンピュータまたはディスク再生装置１００に入力された制限情報を受信する。制限情報受付部４２Ａは、ユーザ認証部４１Ａから認証が成功したことを示す信号が入力されることを条件に、受信した制限情報を制限情報記憶部６２Ａに記憶する。
【００６４】
図７は、第２の実施の形態におけるディスク再生装置の再生制限機能の概要を示す機能ブロック図である。図７を参照して、システムコントローラ１０は、ＤＶＤ２０から読み取ったディスク識別情報を受け付ける識別情報受付部４３と、ディスク識別情報をサーバ１７に送信するための識別情報送信部４６と、識別情報の送信に応じてサーバ１７から判定結果を受信する判定結果受信部４７と、判定結果に基づいて再生を制御する制限部４５Ａとを含む。
【００６５】
図６および図７を参照して、ディスク再生装置１００の識別情報受付部４３は、ＤＶＤ２０から読み取られたディスク識別情報を受け付ける。そして、識別情報受付部４３は、受け付けたディスク識別情報を識別情報送信部４６に出力する。識別情報送信部４６は、入力されるディスク識別情報を、ＬＡＮインターフェース１５を介してサーバ１７に送信する。
【００６６】
サーバ１７の識別情報受付部４３Ａは、ＬＡＮインターフェース２１１によりディスク再生装置１００からディスク識別情報が受信されると、そのディスク識別情報を受け付け、判定部５１に出力する。判定部５１は、識別情報受付部４３Ａから入力されるディスク識別情報が、制限情報記憶部６２Ａに記憶されているか否かを判断する。制限情報記憶部６２Ａが記憶する制限情報のディスク情報１０１に、識別情報受付部４３Ａから入力されるディスク識別情報が記憶されていれば、制限情報の再生管理情報１１０に従って、再生可能か否かを判定する。一方、識別情報受付部４３Ａから入力されるディスク識別情報が記憶されていなければ、再生可能と判定する。判定部５１における再生可能か否かの判定は、第１の実施の形態における制限部４５が再生可能か否かを判断したのと同じである。したがって、ここでは説明を繰り返さない。判定部５１は、再生可能と判定した場合には、再生可能であることを示す判定結果を判定結果送信部５２に出力し、再生不可能と判定した場合には再生不可能であることを示す判定結果を判定結果送信部５２に出力する。
【００６７】
ディスク再生装置１００の判定結果受信部４７は、サーバ１７から判定結果を受信し、受信した判定結果を制限部４５Ａに出力する。制限部４５Ａは、入力される判定結果に基づいて、ディスクの再生を制限する。すなわち、判定結果が再生可能であることを示すならば、装着されたＤＶＤ２０を再生するが、判定結果が再生不可能であることを示すならば、装着されたＤＶＤ２０を再生しない。
【００６８】
第２の実施の形態においては、サーバが制限情報を記憶するので、第１の実施の形態においてディスク再生装置１００で実行される制限情報登録処理は、サーバ１７で実行される。
【００６９】
図８（Ａ）は、ディスク再生装置で実行される再生制限処理の流れの一例を示す別のフローチャートである。図８（Ｂ）は、サーバで実行される判定処理の流れの一例を示すフローチャートである。図８（Ａ）を参照して、図４に示した再生制限処理と異なる点は、ステップＳ０２〜ステップＳ０４に代えて、ステップＳ３１、ステップＳ３２およびステップＳ０４Ａが実行される点である。その他の処理は、図４に示した再生制限処理と同じなので、ここでは説明を繰り返さない。
【００７０】
ステップＳ３１では、システムコントローラ１０は、ディスク識別情報をサーバ１７に送信する。そして、サーバ１７から判定結果を受信するまで待機状態となり（ステップＳ３２でＮＯ）、サーバ１７から判定結果を受信したならば処理をステップＳ０４Ａに進める。ステップＳ０４Ａにおいて、受信した判定結果が再生可能を示すか否かを判断し、再生可能を示すならば処理をステップＳ０５に進め、再生不可能を示すならば処理をステップＳ１１に進める。
【００７１】
図８（Ｂ）を参照して、サーバ１７のＣＰＵ２１０は、ディスク再生装置１００からディスク識別情報を受信するまで待機状態となっており（ステップＳ４１でＮＯ）、ディスク識別情報を受信したならば処理をステップＳ４２に進める。ステップＳ４２において、ＨＤＤ２１２から制限情報を読み出す。そして、タイマ２１３から時刻情報を取得する（ステップＳ４３）。そして、ディスク識別情報、時刻情報および制限情報とから再生が可能か否かを判定する（ステップＳ４４）。そして、判定結果をディスク再生装置１００に送信する（ステップＳ４５）。
【００７２】
以上説明したように、第２の実施の形態におけるディスク再生装置１００は、装着されたＤＶＤ２０の再生が可能か否かをサーバ１７で判定するようにしたので、ディスク再生装置１００における処理負荷を低減することができる。また、サーバ１７のＨＤＤ２１２が記憶する制限情報へのアクセスを、権限のあるユーザにのみ許可するので、制限情報が勝手に変更するのを防止することができる。さらに、サーバ１７が備えるタイマ２１３の設定を、サーバ１７の管理者のみが可能とすれば、ディスク再生装置１００を捜査するユーザが時刻情報を改変することができないので、ＤＶＤ２０の再生を確実に制限することができる。
【００７３】
なお、上述した第２の実施の形態においては、ディスク再生装置１００およびサーバ１７について説明したが、ディスク再生装置１００およびサーバ１７各々で実行される再生制限方法おより再生制限プログラムとして発明を捉えることができるのは言うまでもない。
【００７４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７５】
＜付記＞
（１）  前記制限情報は、前記記録媒体に記録された情報の再生を許可する時間帯を定義する時間帯制限情報を少なくとも含み、
前記制御手段は、前記取得された時刻情報に含まれる現在時刻が前記再生を許可する時間帯にないときは、再生を禁止する禁止手段を含む、請求項１に記載の情報再生装置。
（２）  ネットワークに接続されたサーバ装置と通信するための通信手段をさらに備え、
前記時刻情報取得手段は、前記サーバ装置から前記時刻情報を受信する、請求項１に記載の情報再生装置。
（３）  前記制限情報は、再生時間の上限値を含み、
前記制御手段は、再生時間の累計が前記上限値を超えると、再生を禁止する禁止手段を含む、請求項１に記載の情報再生装置。
（４）  それぞれがネットワークに接続された情報再生装置とサーバとを含む情報再生システムであって、
前記サーバは、記録媒体に付された該記録媒体を識別するための識別情報に関連して、該記録媒体に記録された情報の再生を許可する時間情報を含む制限情報を受け付ける制限情報受付手段と、
前記受け付けられた制限情報を記憶する制限情報記憶手段と、
前記情報再生装置から識別情報を受信する識別情報受信手段と、
前記識別情報が受信されることに応じて、該識別情報が受信された時刻を含む時刻情報を取得する時刻情報取得手段と、
前記受信された識別情報に関連する前記制限情報と、前記取得した時刻情報とに基づいて、再生を制限するか否かを判定する判定手段と、
前記判定手段による判定結果を前記情報再生装置に送信する判定結果送信手段とを備え、
前記情報再生装置は、
記録媒体から該記録媒体を識別するための識別情報を読み出す識別情報読出手段と、
前記読み出された識別情報を前記サーバ装置に送信する識別情報送信手段と、
前記識別情報の送信に応じて受信される前記判定結果に基づいて、前記記録媒体に記録された情報の再生を制御する制御手段と、を備えた情報再生システム。
（５）  （４）において、前記サーバは、前記制限情報記憶手段に記憶された制限情報へのアクセスを制限するための認証手段をさらに備える。
【図面の簡単な説明】
【００７６】
【図１】第１の実施の形態におけるディスク再生装置の全体構成を示す図である。
【図２】ディスク再生装置の再生制限機能の概要を示す機能ブロック図である。
【図３】制限情報の一例を示す図である。
【図４】再生制限処理の流れの一例を示す第１の図である。
【図５】制限情報登録処理の流れの一例を示すフローチャートである。
【図６】第２の実施の形態におけるサーバの再生制限機能の概要を示す機能ブロック図である。
【図７】第２の実施の形態におけるディスク再生装置の再生制限機能の概要を示す機能ブロック図である。
【図８】（Ａ）は、ディスク再生装置で実行される再生制限処理の流れの一例を示す別のフローチャートであり、（Ｂ）は、サーバで実行される判定処理の流れの一例を示すフローチャートである。
【符号の説明】
【００７７】
１０  システムコントローラ、１１  ナビゲーション情報解析部、１２  操作部、１３  表示部、１４  リモコン、１５  インターフェース、１６  インターネット、１７  サーバ、２０  ＤＶＤ、２１  ピックアップ、２２  スピンドルモータ、２３  サーボ回路、２４  復調部、２５  訂正部、２６  読み出し用バッファ、２７  再生バッファメモリ、３１  ＤＥＭＵＸ、３５  ビデオデコーダ、３６  サブピクチャデコーダ、３７  オーディオデコーダ、３８  ミキサ、３９  ビデオエンコーダ、１００  ディスク再生装置。
【図１】
2007242195.tif 000003
【図２】
2007242195.tif 000004
【図３】
2007242195.tif 000005
【図４】
2007242195.tif 000006
【図５】
2007242195.tif 000007
【図６】
2007242195.tif 000008
【図７】
2007242195.tif 000009
【図８】
2007242195.tif 000010